(57)【要約】【課題】施工性の向上が可能でありながらも、見栄えを向上し得るフレーム装置及びこれの設置構造を提供する。【解決手段】フレーム装置１は、床２上に上下方向に延びるように配される一対の縦フレーム１２，１２及びこれら一対の縦フレームの上端部間に架け渡されるように配される横フレーム１１を有し、かつ既設建物の室内に設置されるフレームユニット１０と、一対の縦枠２４，２５及び上枠２１を有し、該上枠の見込方向一側面が前記横フレームの見込方向一側面に対向するように配されて前記フレームユニットに対して固定される三方枠状の建具枠２０と、前記建具枠に建て付けられる建具３０と、を備えている。【選択図】図１
2020122338.tif 000002
【特許請求の範囲】
【請求項１】
床上に上下方向に延びるように配される一対の縦フレーム及びこれら一対の縦フレームの上端部間に架け渡されるように配される横フレームを有し、かつ既設建物の室内に設置されるフレームユニットと、
一対の縦枠及び上枠を有し、該上枠の見込方向一側面が前記横フレームの見込方向一側面に対向するように配されて前記フレームユニットに対して固定される三方枠状の建具枠と、
前記建具枠に建て付けられる建具と、
を備えていることを特徴とするフレーム装置。
【請求項２】
請求項１において、
前記フレームユニット及び前記建具枠は、天井面との間に空間が形成される高さとされていることを特徴とするフレーム装置。
【請求項３】
請求項１または２において、
前記フレームユニットと前記建具との間に位置するように配され、開放状態の前記建具が沿わせられる壁パネルを備えていることを特徴とするフレーム装置。
【請求項４】
請求項１または２において、
前記フレームユニットの横フレームの下方側に位置するように配され、開放状態の前記建具が沿わせられる壁パネルを備えていることを特徴とするフレーム装置。
【請求項５】
請求項３または４において、
前記壁パネルとによって開放状態の前記建具を収納する戸袋空間を区画する壁パネルを更に備えていることを特徴とするフレーム装置。
【請求項６】
請求項１乃至５のいずれか１項において、
前記フレームユニットは、前記一対の縦フレームのうちの少なくとも一方から前記建具の厚さ方向に沿う方向に離間して配される補助縦フレームと、該補助縦フレーム及び一方の縦フレームの上端部間に架け渡されるように配される補助横フレームと、を更に備えていることを特徴とするフレーム装置。
【請求項７】
請求項１乃至６のいずれか１項に記載のフレーム装置の設置構造であって、
前記一対の縦フレームのうちの少なくとも一方が前記室内の壁面に沿わせられて固定されて該フレームユニットが設置され、前記横フレームの見込方向一側面に前記上枠の見込方向一側面が対向するように配されて前記建具枠が前記フレームユニットに対して固定されて設置され、該建具枠に前記建具が建て付けられていることを特徴とする設置構造。
【請求項８】
請求項６に記載のフレーム装置の設置構造であって、
前記一対の縦フレームの上端部間に前記横フレームが架け渡され、前記補助縦フレーム及び前記一方の縦フレームの上端部間に前記補助横フレームが架け渡されて前記フレームユニットが設置され、前記横フレームの見込方向一側面に前記上枠の見込方向一側面が対向するように配されて前記建具枠が前記フレームユニットに対して固定されて設置され、該建具枠に前記建具が建て付けられていることを特徴とする設置構造。
【発明の詳細な説明】
【技術分野】
【０００１】
本発明は、フレーム装置及びこれの設置構造に関する。
【背景技術】
【０００２】
従来より、室内には、種々の建具が設置されるが、移設や撤去、間取りを変更したい場合には、既存下地の位置確認や下地処理をする必要が生じるなど、大掛かりな工事が必要であった。
例えば、下記特許文献１には、矩形門型の３方フレーム内に配される３方ドアフレームの内側に開閉可能なドアを設けた可動間仕切収納が開示されている。
【先行技術文献】
【特許文献】
【０００３】
【特許文献１】特開２００１−３０３６９７号公報
【発明の概要】
【発明が解決しようとする課題】
【０００４】
しかしながら、上記特許文献１に記載されたような可動間仕切収納では、３方フレームの内側に３方ドアフレームが配されるため、３方フレーム及び３方ドアフレームの両方が正面視して目立ち易くなる懸念があった。
【０００５】
本発明は、上記実情に鑑みてなされたものであり、施工性の向上が可能でありながらも、見栄えを向上し得るフレーム装置及びこれの設置構造を提供する。
【課題を解決するための手段】
【０００６】
上記目的を達成するために、本発明に係るフレーム装置は、床上に上下方向に延びるように配される一対の縦フレーム及びこれら一対の縦フレームの上端部間に架け渡されるように配される横フレームを有し、かつ既設建物の室内に設置されるフレームユニットと、一対の縦枠及び上枠を有し、該上枠の見込方向一側面が前記横フレームの見込方向一側面に対向するように配されて前記フレームユニットに対して固定される三方枠状の建具枠と、前記建具枠に建て付けられる建具と、を備えていることを特徴とする。
【０００７】
また、上記目的を達成するために、本発明に係る設置構造は、本発明に係るフレーム装置の設置構造であって、前記一対の縦フレームのうちの少なくとも一方が前記室内の壁面に沿わせられて固定されて該フレームユニットが設置され、前記横フレームの見込方向一側面に前記上枠の見込方向一側面が対向するように配されて前記建具枠が前記フレームユニットに対して固定されて設置され、該建具枠に前記建具が建て付けられていることを特徴とする。
【発明の効果】
【０００８】
本発明に係るフレーム装置及びこれの設置構造は、上述のような構成としたことで、施工性の向上が可能でありながらも、見栄えを向上させることができる。
【図面の簡単な説明】
【０００９】
【図１】（ａ）は、本発明の一実施形態に係るフレーム装置の一例及びこれの設置構造の一例を模式的に示す概略正面図、（ｂ）は、同フレーム装置の一部省略概略正面図である。
【図２】（ａ）は、図１（ａ）におけるＸ−Ｘ線矢視に対応させた一部破断概略横断面図、（ｂ）は、図１（ａ）におけるＹ−Ｙ線矢視に対応させた一部破断概略縦断面図である。
【図３】（ａ）、（ｂ）は、本発明の他の実施形態に係るフレーム装置の一例及びこれの設置構造の一例を模式的に示し、図２（ａ）、（ｂ）にそれぞれ対応させた図である。
【図４】（ａ）、（ｂ）は、本発明の更に他の実施形態に係るフレーム装置の一例及びこれの設置構造の一例をそれぞれ模式的に示し、図２（ａ）に対応させた一部破断概略横断面図である。
【図５】（ａ）、（ｂ）は、本発明の更に他の実施形態に係るフレーム装置の一例及びこれの設置構造の一例を模式的に示し、（ａ）は、一部省略概略斜視図、（ｂ）は、概略斜視図である。
【図６】同フレーム装置及びこれの設置構造の概略平面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、フレーム装置を設置した状態を基準として、上下方向等の方向を説明する。
【００１１】
図１及び図２は、第１実施形態に係るフレーム装置及びこれの設置構造の一例を模式的に示す図である。
本実施形態に係るフレーム装置１は、図１（ａ）、（ｂ）に示すように、既設建物の室内に設置されるフレームユニット１０と、このフレームユニット１０に対して固定される三方枠状の建具枠２０と、この建具枠２０に建て付けられる建具３０と、を備えている。フレームユニット１０は、図１（ｂ）に示すように、床２上に上下方向に延びるように配される一対の縦フレーム１２，１２及びこれら一対の縦フレーム１２，１２の上端部間に架け渡されるように配される横フレーム１１を有している。建具枠２０は、図１（ａ）及び図２（ａ）、（ｂ）に示すように、一対の縦枠２４，２５及び上枠２１を有し、上枠２１の見込方向一側面が横フレーム１１の見込方向一側面に対向するように配されてフレームユニット１０に対して固定される。
【００１２】
上記のような構成とすれば、フレームユニット１０を既設建物の室内に設置することができるので、壁や天井に埋込状に配設する必要がなく、大掛かりな工事を要することなく設置でき、また、移設も容易に行うことができる。また、このように既設建物の室内に設置されたフレームユニット１０に対して建具枠２０を固定して設置することができ、既存下地の位置確認や下地処理をする必要性を低減することができ、建具枠２０の施工性を向上させることができる。また、この建具枠２０の上枠２１が横フレーム１１の見込方向（建具３０の厚さ方向に沿う方向）一方側に配されるので、正面視して横フレーム１１と上枠２１とを上下に配したようなものと比べて、見栄えを向上させることができる。
また、これらフレームユニット１０及び建具枠２０の高さを、天井面３との間に空間が形成される高さとしている。このような構成とすれば、天井面３に波打ちや不陸、梁等があるような場合にも、これらとの干渉を抑制して設置することができる。また、建具枠２０及び建具３０によって仕切られる一方の空間と他方の空間との空調や照明等を共用するようなことも可能となる。
【００１３】
本実施形態に係るフレーム装置１の設置構造は、フレームユニット１０の少なくとも一方の縦フレーム１２を既設建物の室内の壁面４に沿わせて固定した構造としている。また、同設置構造は、横フレーム１１の見込方向一側面に上枠２１の見込方向一側面が対向するように配されて建具枠２０がフレームユニット１０に対して固定されて設置され、この建具枠２０に建具３０を建て付けた構造とされている。このような構成とすれば、壁面４に対して固定されたフレームユニット１０に対して建具枠２０を固定して設置することができ、既存下地の位置確認や下地処理をする必要があるようなものと比べて、建具枠２０の施工性を向上させることができる。また、上記のように、天井側に空間が形成される高さとして横フレーム１１を天井側に固定し難い場合にもフレームユニット１０を安定的に設置することができる。
また、本実施形態では、フレームユニット１０の一対の縦フレーム１２，１２のそれぞれを、室内の対向する壁面４，４のそれぞれに沿わせて固定した構造としている。このような構成とすれば、フレームユニット１０をより安定的に設置することができる。
【００１４】
当該フレーム装置１が設置される既設建物としては、戸建住宅や集合住宅等の住宅に限られず、商業施設や公共施設等の建物であってもよい。
また、当該フレーム装置１が設置される既設建物の室内としては、床２が適宜の床仕上材によって構成され、天井面３が適宜の天井仕上材の表面によって構成されたものでもよい。また、当該フレーム装置１が設置される既設建物の室内としては、壁面４が壁クロスや塗装等の適宜の仕上処理が施された壁仕上面または壁下地面によって構成されたものでもよい。
【００１５】
また、本実施形態では、フレーム装置１は、図２に示すように、フレームユニット１０と建具３０との間に位置するように配され、開放状態の建具３０が沿わせられる第１壁パネル３５を備えている。また、フレーム装置１は、この第１壁パネル３５とによって開放状態の建具３０を収納する戸袋空間６を区画する第２壁パネル３６を備えている。このような構成とすれば、建具３０を戸袋納め状に配置することができる。つまり、フレーム装置１は、出入口５を開閉する建具３０と第１壁パネル３５及び第２壁パネル３６とによって間仕切装置として機能する。
また、本実施形態では、建具３０を、戸袋空間６に収納される片引き状の引戸としている。なお、図１（ａ）では、建具３０を閉鎖位置とし、図２では、建具３０を開放位置（全開位置）として図示している。また、建具３０の詳細については後述する。
【００１６】
フレームユニット１０の一対の縦フレーム１２，１２は、互いに同様の構成とされ、上下方向に長尺な略四角柱状とされている。図例では、これら縦フレーム１２，１２を、長手方向に見た外郭形状が略正方形状とされた中空筒状とした例を示している（図２（ａ）参照）。
これら縦フレーム１２，１２は、下端部が床２に当接され、上端部や長手方向途中部位が適宜、ねじ等の固着具によって壁面４，４に対して固定されるものでもよい。なお、これら縦フレーム１２，１２の下端部は、粘着シートや滑止シート等のシート材を介して床２に当接される構成としてもよい。また、これら縦フレーム１２，１２と壁面４，４との間に適宜の隙間遮蔽部材等を設けた構成としてもよい。
【００１７】
横フレーム１１は、水平方向に長尺な略四角柱状とされている。この横フレーム１１の長さは、壁面４，４間の寸法に応じた寸法とされている。図例では、この横フレーム１１と一対の縦フレーム１２，１２とを縦勝状に接合した例を示している。つまり、横フレーム１１の長さを、一対の縦フレーム１２，１２間の寸法に応じた寸法としている。また、この横フレーム１１を、長手方向に見た外郭形状が略正方形状とされた中空筒状とした例を示している（図２（ｂ）参照）。この横フレーム１１の見込方向に沿う寸法及び上下方向に沿う寸法は、縦フレーム１２，１２の見込方向に沿う寸法及び建具幅方向に沿う寸法と略同寸法とされている。
【００１８】
これら横フレーム１１と縦フレーム１２，１２とは、適宜の固着具や接合金具等によって接合されるものでもよい。また、これら横フレーム１１と縦フレーム１２，１２とは、三方枠状に組み付けられた状態で設置されるものでもよく、設置対象に対して順次設置されるものでもよい。また、これら横フレーム１１と縦フレーム１２，１２とを、縦勝状に接合した態様に代えて、横勝状に接合した構成としてもよい。また、これら横フレーム１１及び縦フレーム１２，１２は、アルミニウムやステンレス等の金属系材料から押出成形された金属製形材としてもよい。また、これら横フレーム１１及び縦フレーム１２，１２は、金属系材料から形成されたものに限られず、合成樹脂系材料や木質系材料から形成されたものでもよい。また、これら横フレーム１１及び縦フレーム１２，１２の四周表面は、塗装や化粧シートの貼着等によって適宜の表面化粧処理が施された化粧面としてもよい。例えば、これら横フレーム１１及び縦フレーム１２，１２の四周表面を、アイアン調の黒色系やマット調の白色系の表面仕上処理が施されたものとしてもよい。
【００１９】
建具枠２０の上枠２１は、横フレーム１１の見込方向一方側に配され、水平方向に長尺状とされている。本実施形態では、この上枠２１の上下方向に沿う寸法を、横フレーム１１の上下方向に沿う寸法と略同寸法としている。このような構成とすれば、正面視した状態では、上枠２１と横フレーム１１との段差が形成され難くなり、見栄えをより向上させることができる。また、この上枠２１を、上下方向に沿う寸法よりも見込方向に沿う寸法が大とされ、上下方向に厚さ方向を沿わせて配される略帯板状とした例を示している。
また、この上枠２１に、建具３０の上端部を保持する保持部を構成するガイド溝２２を設けた構成としている。ガイド溝２２は、上枠２１の長手方向に延びるように、かつ下方側に向けて開口するように設けられている。このガイド溝２２は、上枠２１の見込方向略中心に位置するように設けられている。また、このガイド溝２２の溝幅方向両側を区画する溝側壁部の下端部から互いに向き合う方向に突出するように案内片部２３，２３を設けた構成としている。
【００２０】
また、本実施形態では、建具枠２０は、互いに対向する上枠２１の見込方向一側面と横フレーム１１の見込方向一側面とが当接されてフレームユニット１０に対して固定される構成とされている。この建具枠２０は、適宜の固着具や接合金具２９によってフレームユニット１０に対して固定されるものでもよい。図例では、横フレーム１１の上側面と上枠２１の上側面とに跨るように設けられた接合金具２９によってフレームユニット１０に対して建具枠２０を接合した構成としている。なお、横フレーム１１及び上枠２１に、接合金具２９の突起が差し込まれる孔や凹部等を設けた構成としてもよい。
【００２１】
一対の縦枠２４，２５は、建具３０の戸先側に配される戸先側縦枠２４と建具３０の戸尻側に配される戸尻側縦枠２５とを含んでいる。これら戸先側縦枠２４及び戸尻側縦枠２５は、上下方向に長尺状とされている。また、本実施形態では、これら戸先側縦枠２４及び戸尻側縦枠２５は、各縦フレーム１２，１２の見込方向一方側に配される構成とされている。また、これら戸先側縦枠２４及び戸尻側縦枠２５の建具幅方向に沿う寸法を、縦フレーム１２，１２の建具幅方向に沿う寸法と略同寸法としている。このような構成とすれば、正面視した状態では、戸先側縦枠２４及び戸尻側縦枠２５と縦フレーム１２，１２との段差が形成され難くなり、見栄えをより向上させることができる。また、これら戸先側縦枠２４及び戸尻側縦枠２５を、建具幅方向に沿う寸法よりも見込方向に沿う寸法が大とされ、建具幅方向に厚さ方向を沿わせて配される略帯板状とした例を示している。図例では、これら戸先側縦枠２４及び戸尻側縦枠２５の見込方向に沿う寸法を、上枠２１の見込方向に沿う寸法と略同寸法とした例を示している。
【００２２】
また、本実施形態では、建具枠２０は、互いに対向する戸先側縦枠２４及び戸尻側縦枠２５の見込方向一側面と縦フレーム１２，１２の見込方向一側面とが当接されてフレームユニット１０に対して固定される構成とされている。
なお、これら戸先側縦枠２４及び戸尻側縦枠２５のうちの一方または両方が適宜の固着具や接合金具２９によって縦フレーム１２に固定されるものでもよい。このような構成とすれば、上枠２１のみをフレームユニット１０に固定するようなものと比べて、フレームユニット１０に対する建具枠２０の固定強度を向上させることができる。
【００２３】
また、図例では、これら戸先側縦枠２４及び戸尻側縦枠２５と上枠２１とを縦勝状に接合した例を示している。これら戸先側縦枠２４及び戸尻側縦枠２５と上枠２１とは、適宜の固着具や接合金具等によって接合されるものでもよい。また、これら戸先側縦枠２４及び戸尻側縦枠２５と上枠２１とは、三方枠状に組み付けられた状態で設置されるものでもよく、設置対象に対して順次設置されるものでもよい。また、図例では、戸先側縦枠２４の見込方向略中心に、建具３０の戸先側端部を受け入れる戸じゃくり溝を設けた例を示している。また、図例では、戸尻側縦枠２５の見込方向略中心に、建具３０の戸尻側端部が当接される緩衝部を設けた例を示している。なお、これら戸先側縦枠２４及び戸尻側縦枠２５並びに上記した上枠２１は、木質系材料や合成樹脂系材料、金属系材料から形成されたものでもよい。また、例えば、上枠２１は、ガイド溝２２を区画する金属製の上レールとこの上レールを受け入れる受入溝が設けられた上枠本体とを備えた構成とされたものでもよい。
【００２４】
第１壁パネル３５及び第２壁パネル３６は、互いに略同様の構成とされ、建具厚さ方向に厚さ方向を沿わせて配される略矩形平板状とされている。これら第１壁パネル３５及び第２壁パネル３６は、これらの間に戸袋空間６が形成されるように、厚さ方向に沿って間隔を空けて配設される。図例では、これら第１壁パネル３５及び第２壁パネル３６の下端部を床２に当接させ、上端部を上枠２１の下側面に当接または近接させて設置した例を示している。これら第１壁パネル３５及び第２壁パネル３６の上端部並びに上枠２１の下側部の一方に他方に設けられた係合凹部に差し込まれる係合突部を設けたような構成等としてもよい。このような構成とすれば、第１壁パネル３５及び第２壁パネル３６を設置する際に、これらを上枠２１に仮保持させることができる。
【００２５】
また、これら第１壁パネル３５及び第２壁パネル３６のパネル幅方向一側端面を、戸尻側縦枠２５の見込面（戸先側に向く内側面）に当接させて設置した例を示している。また、第１壁パネル３５を、第１壁パネル３５の反戸袋側に向く表面と戸尻側縦枠２５の見込方向一方側面とが略同一平面状となるように設置した例を示している。また、第２壁パネル３６を、第２壁パネル３６の反戸袋側に向く表面と戸尻側縦枠２５の見込方向他方側面とが略同一平面状となるように設置した例を示している。なお、これら第１壁パネル３５及び第２壁パネル３６は、適宜の固着具や接合金具によって上枠２１や床２、戸尻側縦枠２５等に固定されるものでもよい。
【００２６】
これら第１壁パネル３５及び第２壁パネル３６の高さ寸法（上下寸法）は、床２から上枠２１までの高さに応じた寸法とされている。また、これら第１壁パネル３５及び第２壁パネル３６の厚さ寸法は、建具３０の厚さ寸法よりも大とされている。これら第１壁パネル３５及び第２壁パネル３６の厚さ寸法は、例えば、２５ｍｍ〜５０ｍｍ程度でもよい。図例では、これら第１壁パネル３５及び第２壁パネル３６の厚さ寸法を、横フレーム１１及び縦フレーム１２，１２の見込方向に沿う寸法と略同寸法とした例を示している。上記した建具枠２０の上枠２１、戸先側縦枠２４及び戸尻側縦枠２５の見込方向に沿う寸法は、これら第１壁パネル３５及び第２壁パネル３６の厚さ寸法に戸袋空間６の建具厚さ方向に沿う寸法を足し合わせた寸法に応じた寸法とされている。
また、これら第１壁パネル３５及び第２壁パネル３６のパネル幅寸法は、建具３０の建具幅や建具３０によって開閉される出入口５の開口幅等に応じて適宜の寸法としてもよい。また、これら第１壁パネル３５及び第２壁パネル３６は、中実板状とされたものでもよく、いわゆるフラッシュパネル状とされたものでもよい。
【００２７】
建具３０は、上下方向に長尺な略矩形平板状とされている。この建具３０は、厚さ方向の各面が戸袋内面を構成する第１壁パネル３５及び第２壁パネル３６の対向面に近接するように配される。このような構成とすれば、これら第１壁パネル３５及び第２壁パネル３６を、建具３０の厚さ方向への振れを抑制するガイドとして機能させることもできる。
この建具３０の上下方向に沿う建具高さ寸法は、床２から上枠２１までの上下方向に沿う寸法に応じた寸法とされている。また、この建具３０の建具幅寸法は、出入口５の閉鎖が可能なように出入口５の開口幅等に応じて適宜の寸法としてもよい。本実施形態では、建具３０が全開状態で、その戸先側端面と第１壁パネル３５及び第２壁パネル３６の戸先側縦枠２４側に向く端面とが略同一面状となる構成としている。このような構成とすれば、建具３０を全開状態とすれば、第１壁パネル３５及び第２壁パネル３６並びに建具３０が壁体のような外観を呈し、すっきりとした印象を与えることができる。また、この建具３０の建具厚さ寸法は、例えば、２０ｍｍ〜４０ｍｍ程度でもよい。
【００２８】
また、建具３０の上端部には、上枠２１のガイド溝２２に沿ってガイドされる被ガイド部を構成するランナー３１が設けられている。このランナー３１には、上枠２１の案内片部２３，２３上を転動する転動体３２，３２が建具厚さ方向に間隔を空けて設けられている。つまり、本実施形態では、建具３０は、上枠２１に吊下保持され、上吊型で建て付けられる構成とされている。このランナー３１は、図示は省略しているが、建具３０の上端部の建具幅方向両端部のそれぞれに設けられている。
また、建具３０の下端部には、床２側に設置されるガイド部材２６のガイド部２７が差し込まれる被ガイド溝３３が設けられている。
【００２９】
ガイド部材２６は、本実施形態では、床２に埋込状に配される収容部に対して磁石を有したピン状のガイド部２７を上下方向に出没自在に設けたマグネットガイドとされている。
建具３０の被ガイド溝３３は、建具３０の建具幅方向の全長に亘って延びるように設けられている。また、建具３０の下端部には、ガイド部２７を吸引する磁石３４が設けられている。なお、ガイド部材２６は、建具３０が開閉方向に移動する際に少なくとも一つのガイド部２７が被ガイド溝３３に挿入された状態が生じるように、建具幅方向に沿って間隔を空けて複数箇所に設けられるものでもよい。また、ガイド部材２６としては、マグネットガイドに代えて、床２上に固定的に設けられる固定ガイドピンでもよい。
また、建具３０は、中実板状とされたものでもよく、いわゆるフラッシュパネル状とされたものでもよい。また、建具３０の戸先側端部に戸袋空間６に収納された建具３０を引き出す際の手掛となる凹部を設けたり、戸先側端面に対して出没自在とされた手掛部を設けたりしてもよい。
【００３０】
次に、他の実施形態について、図２〜図６を参照して説明する。
なお、以下の各実施形態では、先に説明した実施形態との相違点について主に説明し、同様の構成については、同一符号を付し、その説明を省略または簡略に説明する。また、先に説明した実施形態と同様に奏する作用効果についても説明を省略または簡略に説明する。
【００３１】
図３（ａ）、（ｂ）は、第２実施形態に係るフレーム装置１Ａ及びこれの設置構造の一例を模式的に示す図である。
本実施形態では、図３（ａ）、（ｂ）に示すように、戸袋空間６を区画する一方の第１壁パネル３５Ａを、横フレーム１１の下方側に位置するように配される構成としている。このような構成とすれば、建具３０Ａを収納する戸袋空間６を設けながらも、上記第１実施形態と比べて、当該フレーム装置１Ａ全体の見込方向に沿う寸法を効率的に小さくすることができる。この第１壁パネル３５Ａは、戸尻側縦枠２５Ａ側の縦フレーム１２の見込面（戸先側に向く内側面）にパネル幅方向一側端面が当接されて設置される。また、この第１壁パネル３５Ａは、厚さ方向両面が縦フレーム１２の見込方向両面（見付面）と略同一平面状となるように設置される。また、第１壁パネル３５Ａは、下端部が床２に当接され、上端部が横フレーム１１の下側面に当接または近接されて設置される。なお、上記と概ね同様、第１壁パネル３５Ａの上端部及び横フレーム１１の下側部の一方に他方に設けられた係合凹部に差し込まれる係合突部を設けたような構成等としてもよい。また、この第１パネル３５Ａは、適宜の固着具や接合金具によって横フレーム１１や床２、縦フレーム１２等に固定されるものでもよい。
【００３２】
建具枠２０Ａは、上記のように第１壁パネル３５Ａをフレームユニット１０側に設けた構成としているので、上記第１実施形態よりも見込方向に沿う寸法が小とされている。本実施形態では、建具枠２０Ａの上枠２１Ａ、戸先側縦枠２４Ａ及び戸尻側縦枠２５Ａの見込方向に沿う寸法を、戸袋空間６の建具厚さ方向に沿う寸法に第２壁パネル３６の厚さ寸法を足し合わせた寸法に応じた寸法としている。また、戸先側縦枠２４Ａの見込方向でフレームユニット１０側に、戸じゃくり溝を設けた構成としている。また、戸尻側縦枠２５Ａの見込方向でフレームユニット１０側に、緩衝部を設けた構成としている。
【００３３】
また、本実施形態では、建具３０Ａは、下荷重型で建て付けられる構成とされている。上枠２１Ａには、建具３０Ａの上端部の被ガイド部３１Ａを建具幅方向にスライド自在にガイドするガイド溝２２Ａが設けられている。このガイド溝２２Ａは、上枠２１Ａの長手方向に沿って延びるように、かつ下方側に向けて開口するように設けられている。また、このガイド溝２２Ａを、上枠２１Ａの見込方向でフレームユニット１０側に設けた構成としている。また、図例では、上枠２１Ａにガイド溝２２Ａを直接的に設けたような構成としているが、ガイド溝２２Ａを区画する適宜の金属製の上レールを上枠２１Ａに埋込状に設けたような構成としてもよい。また、図例では、建具３０Ａの上端部自体を被ガイド部３１Ａとした例を示しているが、ガイド溝２２Ａに差し込まれる片部状の被ガイド部３１Ａを設けた構成としてもよい。
【００３４】
また、建具３０Ａの下端部には、床２側に設けられる下レール２６Ａのガイド溝２７Ａに係合し転動する戸車３３Ａが設けられている。この戸車３３Ａは、図示は省略しているが、建具３０Ａの下端部の建具幅方向両端部のそれぞれに設けられている。
下レール２６Ａは、上下方向に厚さ方向を沿わせて配される帯板状とされ、建具幅方向に延びるように設けられている。この下レール２６Ａのガイド溝２７Ａは、下レール２６Ａの長手方向に沿って延びるように、かつ上方側に向けて開口するように設けられている。図例では、下レール２６Ａを、床２上に直付状に設置されるものとした例を示しているが、床２側に設置される下枠に埋込状に設けられたものや床２に埋込状に設けられるものとしてもよい。
【００３５】
図４（ａ）は、第３実施形態に係るフレーム装置１Ｂ及びこれの設置構造の一例を模式的に示す図である。
本実施形態では、フレームユニット１０と建具３０との間に位置するように配され、開放状態の建具３０が沿わせられる第１壁パネル３５を設け、第２壁パネルを設けていない構成としている。このような構成とすれば、建具３０を袖壁納め状に配置することができる。また、建具枠２０Ｂの見込方向に沿う寸法を、上記第２実施形態と概ね同様、上記第１実施形態よりも小としている。また、戸先側縦枠２４Ｂの見込方向で反フレームユニット側に、戸じゃくり溝を設けた構成としている。また、戸尻側縦枠２５Ｂの見込方向で反フレームユニット側に、緩衝部を設けた構成としている。また、図示は省略しているが、上枠２１Ｂの見込方向で反フレームユニット側に、ガイド溝２２（図２（ｂ）参照）が設けられている。
【００３６】
図４（ｂ）は、第４実施形態に係るフレーム装置１Ｃ及びこれの設置構造の一例を模式的に示す図である。
本実施形態では、上記第３実施形態と概ね同様、戸袋空間６を設けずに、第１壁パネル３５Ａを設けた構成としている。本実施形態では、この第１壁パネル３５Ａを、上記第２実施形態と同様、フレームユニット１０内に位置するように設けた構成としている。このような構成とすれば、当該フレーム装置１Ｃの見込方向に沿う寸法をより効果的に小さくすることができる。
また、建具枠２０Ｃの見込方向に沿う寸法を、フレームユニット１０の見込方向に沿う寸法と略同寸法とした構成としている。また、戸先側縦枠２４Ｃの見込方向略中心に、戸じゃくり溝を設けた構成としている。また、戸尻側縦枠２５Ｃの見込方向略中心に、緩衝部を設けた構成としている。また、図示は省略しているが、上枠２１Ｃの見込方向略中心に、ガイド溝２２（図２（ｂ）参照）が設けられている。
【００３７】
図５及び図６は、第５実施形態に係るフレーム装置１Ｄ及びこれの設置構造の一例を模式的に示す図である。
本実施形態では、図５（ａ）及び図６に示すように、フレームユニット１０Ａに、一対の縦フレーム１２，１２のうちの少なくとも一方から建具３０の厚さ方向に沿う方向に離間して配される補助縦フレーム１４を更に設けた構成としている。また、フレームユニット１０Ａに、この補助縦フレーム１４及び一方の縦フレーム１２の上端部間に架け渡されるように配される補助横フレーム１３を更に設けた構成としている。このような構成とすれば、一対の縦フレーム１２，１２の上端部間に横フレーム１１を架け渡し、補助縦フレーム１４及び一方の縦フレーム１２の上端部間に補助横フレーム１３を架け渡し、フレームユニット１０Ａを設置する設置構造とできる。これにより、フレームユニット１０Ａが平面視して略Ｌ字状となり、フレームユニット１０Ａを自立状に設置することも可能となる。
【００３８】
また、本実施形態では、フレームユニット１０Ａに、一対の縦フレーム１２，１２のそれぞれから建具３０の厚さ方向に沿う方向に離間して配される補助縦フレーム１４，１４を設けた構成としている。また、フレームユニット１０Ａに、これら補助縦フレーム１４，１４の上端部と各縦フレーム１２，１２の上端部との間のそれぞれに架け渡されるように配される補助横フレーム１３，１３を設けた構成としている。このような構成とすれば、フレームユニット１０Ａを平面視して略コ字状に設置する設置構造とでき、フレームユニット１０Ａをより安定的に自立状に設置することも可能となる。
また、本実施形態では、フレームユニット１０Ａに、補助縦フレーム１４，１４の上端部間に架け渡されるように配される補助横フレーム１３を更に設けた構成としている。このような構成とすれば、フレームユニット１０Ａを平面視して略方形枠状に設置する設置構造とでき、フレームユニット１０Ａをより安定的に自立状に設置することも可能となる。
【００３９】
また、本実施形態では、一対の縦フレーム１２，１２及びこれらから建具３０厚さ方向に離間して配される一対の補助縦フレーム１４，１４によって四隅が区画されたフレームユニット１０Ａ内に、収納ユニットを構成するフレーム１５，１６を設けた構成としている。このような構成とすれば、既設建物の室内に後設置的にウォークインクローゼット状の収納スペースを簡易に設けることができる。図例では、当該フレーム装置１Ｄを、交差する壁面４，４に沿わせて室内の一入隅部に設置した例を示している。また、横フレーム１１とこれから建具３０厚さ方向に離間して平行状に配される補助横フレーム１３とを接続するように、複数本（図例では、２本）の補助横フレーム１３を、横フレーム１１の長手方向に間隔を空けて設けた例を示している。
【００４０】
また、図５（ｂ）及び図６に示すように、横フレーム１１の長手方向に沿う方向で略中央部位に建具３０によって開閉される出入口５を設けた構成としている。また、フレームユニット１０Ａ内において出入口５に連なる略中央部を通路とし、この通路の両側が収納スペースとなるようにフレーム１５，１６を組み合わせて設けた例を示している。図例では、横フレーム１１の長手方向一方側（戸袋空間６側）に位置する壁面４側に、高さ方向途中部位に作業台状の天板１８が設けられ、この天板１８の上方側に複数の棚板１７，１７が設けられた収納ユニット７を設けた例を示している。また、この壁面４側の収納ユニット７とは異なる側に、洗濯機等の設備機器の設置スペース８と複数の棚板１７，１７が配された両面収納ユニット９とを隣接させて設けた例を示している。また、設備機器の設置スペース８及び両面収納ユニット９を区画するように収納壁パネル３９，３９を設けた例を示している。なお、フレームユニット１０Ａ内に設けられて収納ユニットを構成するフレーム１５，１６等は、図例のような組み合わせに限られず、その他、種々の変形が可能である。
【００４１】
また、本実施形態では、上記第４実施形態と同様の建具枠２０Ｃを設けた構成としている。また、この建具枠２０Ｃを、第１壁パネル３５Ｂを介してフレームユニット１０Ａに対して固定される構成としている。本実施形態では、この第１壁パネル３５Ｂ及び第２壁パネル３６Ａの高さをフレームユニット１０Ａ及び建具枠２０Ｃの高さと略同高さとした構成としている。また、互いに対向するように配される横フレーム１１の見込方向一側面及び上枠２１Ｃの見込方向一側面のそれぞれが第１壁パネル３５Ｂに当接される構成としている。また、互いに対向するように配される一方の縦フレーム１２の見込方向一側面及び戸尻側縦枠２５Ｃの見込方向一側面のそれぞれが第１壁パネル３５Ｂに当接される構成としている。また、上枠２１Ｃ及び戸尻側縦枠２５Ｃの見込方向他側面が第２壁パネル３６Ａに当接される構成としている。
【００４２】
また、上枠２１Ｃの出入口５の部位の見込方向両側に、第１壁パネル３５Ｂ及び第２壁パネル３６Ａの厚さ寸法に応じた四角柱状のスペーサー材３７，３７を設けた例を示している。なお、このようなスペーサー材３７，３７を設けていない構成としてもよく、さらには、上枠２１Ｃの出入口５の部位の見込方向に沿う寸法を、戸袋空間６側部位よりも大としたような態様等としてもよい。
また、本実施形態では、上記各実施形態とは異なり、上枠２１Ｃの長さ寸法を、横フレーム１１の長さ寸法よりも小としている。また、横フレーム１１の長手方向他方側（反戸袋空間側）の見込方向一方側に、両面収納ユニット９の収納間口方向一方側を区画する収納壁パネル３８，３８を設けた構成としている。
【００４３】
図例では、戸袋空間６を区画する第１壁パネル３５Ｂ及び第２壁パネル３６Ａと同様の壁厚となるように、二枚の収納壁パネル３８，３８間にスペーサーとなる戸先側縦枠２４Ｃ、上枠２１Ｄ及び縦枠２４Ｄを設けた例を示している。また、これら二枚の収納壁パネル３８，３８によって構成される壁体の壁厚方向一方側（反両面収納ユニット側）に、テーブル状の天板１９とこれを保持するフレーム１５，１６とを設けた例を示している。なお、このような天板１９等を設けていない構成としてもよい。
また、横フレーム１１とによって四周を区画する補助横フレーム１３，１３，１３のうちの少なくとも一つを、建具枠２０Ｃが沿わせられる横フレームと更にしてもよい。つまりは、フレーム装置１Ｄに、複数の建具枠２０Ｃ及び建具３０を設けたような構成等としてもよい。
【００４４】
また、上記各実施形態に係るフレーム装置１，１Ａ〜１Ｄ及び設置構造における互いに異なる構成を、適宜、組み替えたり、組み合わせたりして適用するようにしてもよい。
また、上記各実施形態のように、フレーム装置１，１Ａ〜１Ｄを、天井面３との間に空間が形成される高さとした場合には、フレーム装置１，１Ａ〜１Ｄの横フレーム１１等と天井面３との間に配される適宜の突張状支持部材等を設けた構成としてもよい。また、このような態様に代えて、フレーム装置１，１Ａ〜１Ｄを、天井面３に当接または近接される高さとしてもよい。
また、上記各実施形態では、片引き状に配される一枚の建具３０，３０Ａを設けた例を示しているが、引違状や引分状に配される複数枚の建具３０，３０Ａを設けた構成としてもよい。
【００４５】
また、上記各実施形態では、建具３０，３０Ａが納められる戸袋空間６または袖壁を構成する壁パネル（第１壁パネル３５，３５Ａ，３５Ｂ及び第２壁パネル３６，３６Ａ）を設けた例を示しているが、このような壁パネルを設けていない構成としてもよい。この場合は、複数枚の建具３０，３０Ａを引違状に設けた構成としてもよい。
また、上記各実施形態では、建具３０，３０Ａを引戸とした例を示しているが、折戸や開き戸等としてもよい。この場合は、建具枠２０，２０Ａ〜２０Ｃに適宜、建具３０，３０Ａを回転自在に保持する回転連結部材を設けたり、戸当たり部やラッチ受け等を設けたりしてもよい。上記各実施形態に係るフレーム装置１，１Ａ〜１Ｄの各部材及び各部の構成は、上記したような構成に限られず、その他、種々の変形が可能である。
【符号の説明】
【００４６】
１，１Ａ〜１Ｄ        フレーム装置
１０，１０Ａ          フレームユニット
１１                  横フレーム
１２                  縦フレーム
１３                  補助横フレーム
１４                  補助縦フレーム
２０，２０Ａ〜２０Ｃ  建具枠
２１，２１Ａ〜２１Ｃ  上枠
２４，２４Ａ〜２４Ｃ  戸先側縦枠（縦枠）
２５，２５Ａ〜２５Ｃ  戸尻側縦枠（縦枠）
３０，３０Ａ          建具
３５，３５Ａ，３５Ｂ  第１壁パネル（壁パネル）
３６，３６Ａ          第２壁パネル（壁パネル）
２                    床
３                    天井面
４                    壁面
６                    戸袋空間
【図１】
2020122338.tif 000003
【図２】
2020122338.tif 000004
【図３】
2020122338.tif 000005
【図４】
2020122338.tif 000006
【図５】
2020122338.tif 000007
【図６】
2020122338.tif 000008